(57)【要約】【課題】部品点数を少なくしつつ引戸を急激に閉めた時に発生する跳ね返りに対応してチリ寸法が変わっても、閉扉信号を「確実かつ安定的」に取ることができること。【解決手段】戸先が戸枠に衝突する閉戸時に制御装置がスイッチの閉扉信号を拾う引戸錠のスイッチのオン・オフ機構に於いて、スイッチのオン・オフ機構は、錠ケース１０の内部に配設したスイッチ６０と、錠ケースに水平方向へ摺動自在に設けられたトリガー３１と、このトリガーと前記スイッチの間に軸支されたスイングアーム５１とから成り、前記スイングアーム５１は、一端部にトリガー３１に形成された衝突面４６に当接可能な当り部５２を有し、該スイングアームは、受け金具Ｙに押されて後退動するトリガー３１の前記衝突面４６が前記当り部５２に衝突すると、支軸２６を支点に回動して、当り部５２の反対側に位置する他端部でスイッチを作動させ、一方、前記当り部５２は、トリガー３１の上面３６に乗り上がりそのまま支持されることを特徴とする引戸錠のスイッチのオン・オフ機構。【選択図】  図１
2005002732.tif 000002
【特許請求の範囲】
【請求項１】
戸先が戸枠に衝突する閉戸時に、制御装置がスイッチの閉扉信号を拾う引戸錠のスイッチのオン・オフ機構に於いて、スイッチのオン・オフ機構は、錠ケース１０の内部に配設したスイッチ６０と、錠ケースに水平方向へ摺動自在に設けられたトリガー３１と、このトリガーと前記スイッチの間に軸支されたスイングアーム５１とから成り、前記スイングアーム５１は、一端部にトリガー３１に形成された衝突面４６に当接可能な当り部５２を有し、該スイングアームは、受け金具Ｙに押されて後退動するトリガー３１の前記衝突面４６が前記当り部５２に衝突すると、支軸２６を支点に回動して、当り部５２の反対側に位置する他端部でスイッチを作動させ、一方、前記当り部５２は、トリガー３１の上面３６に乗り上がりそのまま支持されることを特徴とする引戸錠のスイッチのオン・オフ機構。
【請求項２】
請求項１に於いて、スイッチ６０は、可動接触片６１を有するマイクロスイッチであり、前記可動接触片６１はスイングアームの当り部５２の反対側に位置する他端部に設けた押圧部５５に押されてスイッチオンになることを特徴とする引戸錠のスイッチのオン・オフ機構。
【請求項３】
請求項１に於いて、トリガーは、受け金具Ｙに設けた掛合片の前面に当たる突出先端部と、この突出先端部に段差状に連設すると共に、平面視Ｔ字状の横長状杆部３３と、錠ケースの水平係合部に案内される複数個のガイド突起とを有することを特徴とする引戸錠のスイッチのオン・オフ機構。
【発明の詳細な説明】
【０００１】
【発明の属する技術分野】
本発明は、引戸錠（片引戸、引き違い戸）の錠箱に内装されたスイッチをオン（ＯＮ）・オフ（ＯＦＦ）させる引戸錠のスイッチのオン・オフ機構に関する。
【０００２】
【従来の技術】
錠ケースのフロントから受け金具に向かって突出するトリガー（水平進退動部材）と、このトリガーに連動する施錠片（例えば鎌片）を備えた建具用引戸錠は、例えば実開昭５７−１１０２６０号公報に記載されている。
【０００３】
この種の引戸錠は、引戸の閉戸時、トリガーはその先端面がストライクの表面に突き当たると後退し始め、鎌片は動力変換機構（例えばラック及びピニオン）を介して掛合の方向へと突出する。
【０００４】
ところで、引戸を急激に閉めた時の「引戸の跳ね返り現象（跳ね返り）」によって引戸が戻るので、普通一般に、衝突する方の戸先と衝突される方の戸枠との間には、いわゆる「チリ（間隙）」を設定している。このチリは、例えば０．５ｍｍ〜５ｍｍ程度設けられている。
【０００５】
また、跳ね返り現象は、錠前の施・解錠機構を構成する各部材に少なからず影響を与えるので、引戸の跳ね返りに対応して鎌片を錠ケース側に多少後退するように工夫をしている（例えば特許願２００１−１２５７３９号）。
【０００６】
引戸錠のスイッチのオン・オフ機構もその例外ではなく、スイッチの設置箇所、スイッチの可動接触片に対するスイッチ保持機構など構成如何によっては、引戸の跳ね返り現象を受けやすい。特に、閉戸時の信号、つまり、閉扉信号をトリガーの動きを利用して拾う機構の場合には、トリガーは、鎌片が衝突によって回転した分だけ動力変換機構等を介してストライク側へ進出する関係にあるから、前述した０．６ｍｍ〜４ｍｍのチリ寸法が変わっても確実かつ安定的に閉扉信号を取ることが要求される。
【０００７】
なお、先行技術開示義務として、特開平３−１２１２８号公報を記載する。この公報に記載の通電装置のスイッチは、錠箱にスイッチを内装するものではないが、スイッチは「可動接触体」を有し、引戸の上部または戸枠の何れか一方に設けられ、閉扉信号を拾うものである。
【０００８】
【発明が解決しようとする課題】
本発明の目的は、引戸を急激に閉めた時に発生する跳ね返りに対応してチリ寸法が変わっても、閉扉信号を「確実かつ安定的」に取ることができることである。また、部品点数を少なくして前記目的を達成することである。
【０００９】
【課題を解決するための手段】
本発明の引戸錠のスイッチのオン・オフ機構は、戸先が戸枠に衝突する閉戸時に、制御装置がスイッチの閉扉信号を拾う引戸錠のスイッチのオン・オフ機構に於いて、スイッチのオン・オフ機構は、錠ケース１０の内部に配設したスイッチ６０と、錠ケースに水平方向へ摺動自在に設けられたトリガー３１と、このトリガーと前記スイッチの間に軸支されたスイングアーム５１とから成り、前記スイングアーム５１は、一端部にトリガー３１に形成された衝突面４６に当接可能な当り部５２を有し、該スイングアームは、受け金具Ｙに押されて後退動するトリガー３１の前記衝突面４６が前記当り部５２に衝突すると、支軸２６を支点に回動して、当り部５２の反対側に位置する他端部でスイッチを作動させ、一方、前記当り部５２は、トリガー３１の上面３６に乗り上がりそのまま支持されることを特徴とする。
【００１０】
【発明の実施の形態】
図１乃至図８に示す一実施例を参照に本発明の引戸錠Ｘのスイッチのオン・オフ機構Ｚを説明する。
【００１１】
（１）発明の実施の環境
まず、図１及び図２を参照に発明の実施の環境について説明する。Ｘは引戸１の中に収められる彫り込み型引戸錠である。一方、Ｙは戸枠２に固定的に取付けられた受け金具である。受け金具Ｙは、ボックス部を有するトロヨケ３と、このトロヨケ３の開口に重ね合わせられたストライク（受座）４とから成る。ストライク４は縦長板状に形成され、複数個の固着手段５を介してトロヨケ３の耳状の取り付け部に固定される。
【００１２】
６は前記ストライク４の縦長窓７から多少突出するようにトロヨケ３に適宜固定された押し込み兼用掛合片で、この押し込み兼用掛合片６の前面は、トリガーの先端面と当接可能である。この押し込み兼用掛合片６は、「チリ」設定を考慮して設けたものであるが、基本的にはストライク４の一部を構成する。したがって、ストライク４は、引戸１を閉める際に該押し込み兼用掛合片６を介してトリガーを後退させる。
【００１３】
（２）錠ケース１０
次に図１〜図３を参照に錠ケースについて説明する。１０は引戸１の縦框に内装される錠ケースである。この錠ケース１０は、ケース身１０ａと、このケース身１０ａの大きい開口部を閉鎖する板状のケース蓋１０ｂとから成る。錠ケース１０も引戸錠Ｘの一部を成す。
【００１４】
１１は錠ケース１０の前側の開口に固定されたフロントである。このフロント１１は、普通一般に錠ケース１０の長板状蓋板（或いは取付前壁）１２に固定されている。１３は錠ケースを引戸１に固定するための複数個の第２固着手段である。１４は縦長状の鎌片用出入り窓、一方、１５は矩形状のトリガー用窓である。トリガー用窓１５は、図２で示すように鎌片用出入り窓１４と連通し、かつ、左右方向に幅広である。なお、トリガー用窓１５と鎌片用出入り窓１４との関係は、連通又は非連通のいずれであっても良い。
【００１５】
（３）ケース身１０ａとケース蓋１０ｂ
図２及び図３を参照にしてケース身１０ａとケース蓋１０ｂに形成された幾つかの係合部（例えばガイド孔、軸孔）ついて説明する。まず２０は鎌片７０の後端部に固定的に設けられた第１可動軸２１用の横長案内長孔で、この横長案内長孔２０はケース身１０ａ及びケース蓋１０ｂ中央部のフロント寄りの部位に形成されている。鎌片逃がし用の横長案内長孔２０は、弧状案内部２０ａと、これに連続する直線案内部２０ｂとから成る。
【００１６】
次に２２は前記横長案内長孔２０の弧状案内部２０ａの下方に設けられた第１固定軸２３用の円形軸孔である。円形軸孔２２はケース身１０ａの方にも形成されている。したがって、前記鎌片用の第１固定軸２３は、錠ケース１０に横設軸架されている。
【００１７】
次に２４．２５は、後述するトリガーの係合突起の位置を考慮してケース身１０ａ及びケース蓋１０ｂにそれぞれ形成された水平係合部（水平切欠、水平溝など）である。一つの水平係合部２４は、前記横長案内長孔２０の近くの上方部位に形成され、他の一つの水平係合部２５は、水平係合部２４よりも斜め上方部位に形成されている。
【００１８】
次に２６は、後述するスイングアーム用の支軸で、この支軸２６もケース身１０ａ及びケース蓋１０ｂに横設軸架される。ケース身１０ａの支軸２６と前述したトレガー用窓１５の間の適宜部位には、スイングアーム用のストッパー２７が設けられている。なお、ケース身１０ａ及びケース蓋１０ｂには、その他に、図示しない施・解錠機構を構成するラッチ板を軸支するための固定軸用孔、仮施錠片用の案内孔などが形成されているが、本発明の特定要件に関係ないので、図示及び説明を割愛する。
【００１９】
（４）トリガー：水平進退動部材
次に図１、図４を参照にトリガーについて説明する。３１は錠ケース１０内に摺動自在に装着されたトリガーである。このトリガー３１は、図１で示すように引戸が開いている時は、錠ケース１０のフロント１１から突出する短杆状先端部３２と、この突出先端部３２に段差状に連設する横長状杆部３３と、この横長状杆部３３に連設する後端部３４とから成り、前記短杆状先端部３２と横長状杆部３３は、全体として「ピストル（短銃）形状」のイメージが彷彿されるように形成され、また後端部３４は四角いブロック状のイメージが彷彿されるように形成されている。
【００２０】
本実施例のトリガー３１は、説明の便宜上、簡略化して描いている。前記突出先端部３２は、前述したように、閉扉時、押し込み兼用掛合片６の前面に当たる。該突出先端部３２は、横長のブロック状に形成されており、例えば図示しない金属製のキャップを被せてある。一方、先端部と後端部の中間部分に相当する横長状杆部３３は、平面視、突出先端部３２或いは後端部３４の幅Ｗと略同一の中央保持部３３ａと、この中央保持部３３ａよりも幅ｗ１が狭い後方連設部３３ｂとを有している。
【００２１】
したがって、横長状杆部３３の中央保持部３３ａと後方連設部３３ｂは、平面視、「横Ｔ字型状」に形成されている。ここで、トリガー３１の上面について説明すると、突出先端部３２の上面は水平面、これに続く横長状杆部３３の部分は、若干の垂直面を介して傾斜面３４となっている。
そして、前記傾斜面３４に続く中央保持部３３ａの上面３６は水平面、この上面３６に続く後方連設部３３ｂの上面３７も水平面となっている。後端部２４は縦方向のブロック形状となっている。
【００２２】
しかして、前記横長状杆部３３の中央保持部３３ａの左右側壁には、一対のガイド突起４１，４１が形成されており、これらのガイド突起４１，４１は、錠ケース１０の一つの水平係合部２４にそれぞれ係合する。
【００２３】
一方、後端部３４の左右側壁にも一対のガイド突起４２，４２が形成されており、これらのガイド突起４２，４２は、錠ケース１０の他の水平係合部２５にそれぞれ係合している。また、前記中央保持部３３ａの下部には、下向き凹所４３が形成されており、該下向き凹所４３には、鎌片の第１可動軸２１が係合する。また、横長状杆部３３の後方連設部３３ｂはやや幅広に形成され、かつ、下方に延びている。そして、その左右の一側壁には、ラッチ機構を構成するラッチ板５０用の突起軸４５が設けられている。
【００２４】
ところで、本実施例では、前述したガイド突起４１を有する中央保持部３３ａの一側壁（図４では手前側に見える突起４１）と交差する縦方向の壁面は、枢軸２６に軸支されたスイングアーム５１の指先状当り部５２と当接する衝突面４６となっている。また、この衝突面４６よりも上方の前述した中央保持部３３ａの上面３６は、閉扉時、前記スイングアーム５１の動きを規制するストッパーの機能を果たしている。
【００２５】
４８はトリガーバネで、このトリバネ４８は、トリガー３１の後端部３４とケース身１０ａの後壁との間に横方向に組込まれている。トリガーバネ４８は、その先端部がトリガーの後端面に適宜に圧接し、一方、後端部は後壁に設けられたバネ支持具（図示しない）に支持されている。したがって、トリガー３１は、その先端部３２がフロント１１から突出するように常時付勢されている。
【００２６】
（５）スイッチとスイングアーム
引戸錠Ｘのスイッチのオン・オフ機構Ｚを構成するスイッチ６０は、本実施例ではスイングアーム５１の揺動に対応して「オン（ＯＮ）」、「オフ（ＯＦＦ）」するように錠ケース１０内のフロント１１寄りの部位に固定的に配設されている。スイッチ６０は、マイクロスイッチが採用され、該マイクロスイッチ６０は、アクチャエータと称される可動接触片６１を有する。
【００２７】
前述したスイングアーム５１は、マイクロスイッチ６０とトリガー３１との間に支軸２６を介して所定量回動することができるように軸支されている。スイングアーム５１の軸孔５３を有する幅広板部５４の周側の一部は、前述したストッパー２７に当接している。また、下端部（一端部）の当り部５２とは反対側の指先状上端部（他端部）には、端面Ｌ型状に形成され、その一部はスイッチ６０の可動接触片６１を押圧する押圧部５５の機能を有している。
【００２８】
（６）鎌片
鎌片７０は全体として人差し指を折り曲げた形態をしており、その基部には第１可動軸２１が突設されている。第１可動軸２１は錠ケース１０の横長案内長孔２０並びにトリガー３１の下向き凹所３６にそれぞれ係合している。また鎌片７０は幅広の基部側に形成されたチリ調整用鎌片長孔７１を介して第１固定軸２３に軸支されている。
【００２９】
（７）主な構成・作用
本発明は、錠ケース１０の内部に配設したスイッチ６０と、錠ケース１０に水平方向へ摺動自在に装着されたトリガー３１と、このトリガーと前記スイッチの間に軸支されたスイングアーム５１とから成り、前記スイングアーム５１は、一端部にトリガー３１の中央保持部の衝突面４６に当接可能な当り部５２を有し、該スイングアーム５１は、閉戸時、戸先が戸枠に衝突する際にストライクに押されて後退動するトリガー３１の前記衝突面４６が前記当り部５２に衝突すると（図５参照）、支軸２６を支点に制御装置５８がスイッチ６０の閉扉信号を拾う方向へと回動し、他端部の押圧部５５は、スイッチ６０の可動接触片６１を押し込む（図６参照）。
【００３０】
この時、スイッチ６０はオン（ＯＮ）となるので、前記制御装置５８は、電気コードを介して閉扉信号を拾う。そして、スイングアーム５１の前記当り部５２は、トリガー３１の中央保持部３３ｂの上面３６に乗り上がり、そのまま支持される。
【００３１】
このようにスイングアーム５１は、スイッチ６０の可動接触片６１を押し込んだままトリガー３１の中央保持部３３ｂの上面３６にストッパー（保持）されるが、この時、引戸１を急激に閉めた時に発生する跳ね返りに対応してチリ寸法が変わっても、本発明では上記構成を採用することにより、閉扉信号を「確実かつ安定的」に取ることができる。
【００３２】
図７は、チリ寸法Ｓが「例えば４ｍｍ（チリ大）」の場合を示し、一方、図８のチリ寸法Ｓが「例えば０．６ｍｍ（チリ小）」の場合を示しているが、これらの説明図から明らかなように、チリ寸法の変化に対応してトリガー３１の位置が多少前後しても、スイングアーム５１の当り部５２は、トリガー３１の中央保持部３３ｂの上面３６に乗り上がり、或いは少なくとも中央保持部３３ｂの衝突面４６にて規制されるから、トリガー３１が極端に前方に移動しない限り、スイングアーム５１はスイッチ６０の可動接触片６１から離れる方向（図６の矢印とは反対の方向）へ回動し、その結果、スイッチ６０がオフ（ＯＦＦ）になるような事態は発生しない。
【００３３】
【実施例】
本実施例のスイッチ６０の一例として可動接触片を有するマイクロスイッチについて記述したが、スイッチは可動接触片を有するに限定されない。磁気感応スイッチであっても良い。スイッチ６０が磁気感応スイッチの場合には、特に図示しないが、スイングアーム５１の他端部に磁石が固定される。
【００３４】
【発明の効果】
以上の説明から明らかなように、本発明にあっては、スイングアームは、一端部にトリガーに形成された衝突面に当接可能な当り部を有し、該スイングアームは、受け金具に押されて後退動するトリガーの前記衝突面が前記当り部に衝突すると、支軸を支点に回動して、当り部の反対側に位置する他端部でスイッチを作動させ、一方、前記当り部は、トリガーの中央保持部の上面に乗り上がりそのまま支持されるので、引戸を急激に閉めた時に発生する跳ね返りに対応してチリ寸法が変わっても、制御装置は閉扉信号を「確実かつ安定的」に取ることができる。
【００３５】
また、本発明にあっては、スイッチのオン・オフ機構は、錠ケースの内部に配設したスイッチと、錠ケースに水平方向へ摺動自在に設けられたトリガーと、このトリガーと前記スイッチの間に軸支されたスイングアームとから成るので、部品点数を少なくして前記目的を達成することができる。
【図面の簡単な説明】
図１乃至図８は本発明の一実施例を示す各説明図である。
【図１】実施環境を示す概略説明図。
【図２】引戸錠の一例を示す斜視図。
【図３】錠ケースの本発明の主要部に関連する部分の説明図。
【図４】本発明の主要部の分解斜視図。
【図５】トリガーとスイングアームとの関係を示す概略説明図（トリガーの衝突面がスイングアームの当り部に当たる瞬間を示す）。
【図６】トリガーとスイングアームとの関係を示す概略説明図（スイングアームが矢印方向に回動後にトリガーの上面に乗っかった状態を示す）。
【図７】チリ寸法Ｓが「大きい」場合におけるトリガーとスイングアームとの関係を示す概略説明図。
【図８】チリ寸法Ｓが「小さい」場合におけるトリガーとスイングアームとの関係を示す概略説明図。
【符号の説明】
Ｘ…引戸錠、１…引戸、Ｙ…受け金具、Ｚ…スイッチのオン・オフ機構、１…戸枠、３…トロヨケ、４…ストライク、６…押し込み兼用掛合片、１０…錠ケース、１１…フロント、５，１３…固着手段、２０…横長案内長孔、２１…第１可動軸、２２…軸孔、２３…第１固定軸、２４．２５…水平係合部、２６…支軸、、２７…ストッパー、３１…トリガー、３２…突出先端部、３３…横長状杆部、３３ａ…中央保持部、３３ｂ…後方連設部、３４…後端部、３５…傾斜面、３６…ストッパー機能を有する中央保持部の上面、４１．４２…ガイド突起、４６…衝突面、５１…スイングアーム、５２…当り部、５４…幅広板部、５５…押圧部、５０…ラッチ板、６０…スイッチ、６１…可動接触片、７０…鎌片、７１…鎌片長孔。
【図１】
2005002732.tif 000003
【図２】
2005002732.tif 000004
【図３】
2005002732.tif 000005
【図４】
2005002732.tif 000006
【図５】
2005002732.tif 000007
【図６】
2005002732.tif 000008
【図７】
2005002732.tif 000009
【図８】
2005002732.tif 000010